(57)【要約】【課題】電源電圧が変動すると、電流検出手段で検出した電流値とこの電流値をＡＤ変換したデータ表にズレが発生するため、正確な電流制御が不可能になるという課題を有していた。【解決手段】電圧検出手段３によって検出した電圧を基準値と比較して、基準値以上か否かにより電流検出手段５によって検出した電流値を所定値で補正する電流値補正手段６を設けたことで、より精度の良い制御を行うことが可能となる。【選択図】図１
2008072781.tif 000002
【特許請求の範囲】
【請求項１】
電動機を駆動源とする圧縮機において、前記圧縮機を駆動するインバータ駆動手段と、前記インバータ駆動手段に供給される電圧を検出する電圧検出手段と、電源電圧を整流して前記インバータ駆動手段に供給される電圧を供給するダイオードブリッジと、前記ダイオードブリッジの交流入力ラインに流れる電流を検出する電流検出手段と、前記電圧検出手段によって検出した電圧を基準値と比較して基準値以上か否かで前記電流検出手段によって検出した電流値を所定値で補正する電流値補正手段とを備えたことを特徴とした圧縮機制御装置。
【請求項２】
前記電流値補正手段において所定値で補正を行った前記電流検出手段によって検出した電流値を用いて圧縮機を動作させることを特徴とした請求項１記載の圧縮機制御装置。
【請求項３】
前記圧縮機始動前に、前記電圧検出手段で電圧を検出することを特徴とした請求項１記載の圧縮機制御装置。
【発明の詳細な説明】
【技術分野】
【０００１】
本発明は圧縮機制御装置に関するものである。
【背景技術】
【０００２】
従来は図３に示すように、ダイオードブリッジ４の交流入力ラインに流れる電流を、電流検出手段５を用いて検出した電流値で圧縮機１の制御を行う。その制御は、図４に示すような前記電流検出手段５で検出した電流値とこの電流値をＡＤ変換したデータ表を用いている（例えば、特許文献１参照）。
【特許文献１】特開平４−５５６４８号公報
【発明の開示】
【発明が解決しようとする課題】
【０００３】
しかしながら、前記従来の圧縮機制御装置では、定格の電源電圧のときの前記電流検出手段５で検出した電流値とこの電流値をＡＤ変換したデータとの対応表をもとに前記圧縮機制御装置を制御しているため、電源電圧が変動すると前記電流検出手段で検出した電流値とこの電流値をＡＤ変換したデータ表にズレが発生するため、正確な電流制御が不可能になるという課題を有していた。
【０００４】
本発明は、前記従来の課題を解決するもので、正確な電流制御が可能にすることを目的とする。
【課題を解決するための手段】
【０００５】
前記従来の課題を解決するために、本発明の圧縮機制御装置は電圧検出手段によって検出した電圧を基準値と比較して基準値以上か否かで前記電流検出手段によって検出した電流値を所定値で補正する電流値補正手段を設けたものである。
【０００６】
これによって、電源電圧が変動したときに前記電流検出手段で検出した電流値とこの電流値をＡＤ変換したデータ表に生じるズレを補正し、正確な電流制御を可能とすることができる。
【発明の効果】
【０００７】
本発明の圧縮機制御装置は、電源電圧が変動したときに前記電流検出手段で検出した電流値とこの電流値をＡＤ変換したデータ表に生じるズレを補正し、正確な電流制御を可能とすることができるため、過電流での圧縮機の損傷を回避することができる。
【発明を実施するための最良の形態】
【０００８】
第１の発明は、電動機を駆動源とする圧縮機において、前記圧縮機を駆動するインバータ駆動手段と、前記インバータ駆動手段に供給される電圧を検出する電圧検出手段と、電源電圧を整流して前記インバータ駆動手段に供給される電圧を供給するダイオードブリッジと、前記ダイオードブリッジの交流入力ラインに流れる電流を検出する電流検出手段と、前記電圧検出手段によって検出した電圧を基準値と比較して基準値以上か否かで前記電流検出手段によって検出した電圧を所定値で補正する電流値補正手段とを備えたことを特徴とした圧縮機制御装置とすることで、電源電圧が変動したときに前記電流検出手段で検出した電流値とこの電流値をＡＤ変換したデータのズレを補正することが可能となる。
【０００９】
第２の発明は、前記電流値補正手段において所定値で補正を行った前記電流検出手段によって検出した電流値を用いて圧縮機を動作させることを特徴とした請求項１記載の圧縮
機制御装置とすることで、電源電圧が変動したときに前記電流検出手段で検出した電流値とこの電流値をＡＤ変換したデータ表のズレを補正することが可能となり、正確な電流制御が可能となる。
【００１０】
第３の発明は、前記圧縮機始動前に、前記電圧検出手段で電圧を検出することを特徴とした請求項１記載の圧縮機制御装置とすることで、電源電圧が変動したときに前記電流検出手段で検出した電流値とこの電流値をＡＤ変換したデータ表にズレを正確に補正することが可能となる。
【００１１】
以下、本発明の実施の形態について、図面を参照しながら説明する。なお、この実施の形態によって本発明が限定されるものではない。
【００１２】
（実施の形態１）
図１は、本発明の実施の形態により構成された圧縮機制御装置を示す図である。
本図のように構成された圧縮機制御装置について、以下その動作、作用を説明する。
【００１３】
圧縮機１を駆動するインバータ駆動手段２と、前記インバータ駆動手段２に供給される電圧を検出する電圧検出手段３と、電源電圧７を整流して前記インバータ駆動手段２に供給される電圧を供給するダイオードブリッジ４と、前記ダイオードブリッジ４の交流入力ラインに流れる電流を検出する電流検出手段５と、前記電圧検出手段３によって検出した電圧を基準値と比較して基準値以上か否かで前記電流検出手段５によって検出した電流値を所定値で補正する電流値補正手段６とを備えたことを特徴とした圧縮機制御装置である。
【００１４】
本発明は、図４に示すように、電源電圧７が変動したときの前記電流検出手段５で検出した電流値とこの電流値をＡＤ変換したデータとの対応のように、電源電圧が変動したときに前記電流検出手段で検出した電流値とこの電流値をＡＤ変換したデータ表に生じるズレを補正することができる。
【００１５】
これによって、正確な電流制御を可能とすることができ、過電流での圧縮機３の損傷を回避することができる。
【００１６】
（実施の形態２）
本実施の形態では、前記電流値補正手段６において所定値で補正を行った前記電流検出手段５によって検出した電流値を用いて圧縮機３を動作させることを特徴とした圧縮機制御装置である。
【００１７】
電源電圧７が変動したときに前記電流検出手段５で検出した電流値とこの電流値をＡＤ変換したデータ表のズレを補正することが可能となり、正確な電流制御が可能とすることができ、過電流での圧縮機３の損傷を回避することができる。
【００１８】
（実施の形態３）
本実施の形態では、前記圧縮機３の始動前に、前記電圧検出手段３で電圧を検出することを特徴とした圧縮機制御装置である。
【００１９】
前記圧縮機３の始動前に電源電圧７が変動したときに前記電流検出手段５で検出した電流値とこの電流値をＡＤ変換したデータ表にズレを補正することで、より正確な電流制御を可能とすることができ、過電流での圧縮機３の損傷を回避することができる。
【産業上の利用可能性】
【００２０】
以上のように、本発明にかかる制御装置は、電源電圧が変動したときでも正確に電流値を検出することが可能となるので、圧縮機を駆動制御する制御装置に適用できる。
【図面の簡単な説明】
【００２１】
【図１】本発明の実施の形態により構成された圧縮機制御装置を示す構成図
【図２】本発明の電源電圧が変動したときの電流検出手段で検出した電流値とこの電流値をＡＤ変換したデータとの対応を示す特性図
【図３】従来の圧縮機制御装置を示す構成図
【図４】従来の電流検出手段で検出した電流値とこの電流値をＡＤ変換したデータとの対応を示す特性図
【符号の説明】
【００２２】
１  圧縮機
２  インバータ駆動手段
３  電圧検出手段
４  ダイオードブリッジ
５  電流検出手段
６  電流値補正手段
７  電源
【図１】
2008072781.tif 000003
【図２】
2008072781.tif 000004
【図３】
2008072781.tif 000005
【図４】
2008072781.tif 000006